(57)【要約】      （修正有）【課題】資料提示装置から漏れる照明光がスクリーンに投影される画像の妨げにならないプレゼンテーション装置を提供する。【解決手段】外光受光部１７で受光した外光の明るさレベルの判定を行う明るさ判定部１８１と、明るさ判定部１８１の判定結果に応じ、原稿載置台を照射する光源ランプのうちサブ光源を構成するランプ１１ｂ、１２ｂの電源制御を行うランプ電源制御手段１８４を制御するモード設定部１８２を有する制御部１８を設け、外光の明るさレベルに応じて原稿載置台の照明のレベルを可変する。【選択図】図６
2007005866.tif 000002
【特許請求の範囲】
【請求項１】
載置台と、前記載置台の上方に設置された撮像カメラと、前記撮像カメラの下方に併設して設けられた前記載置台を可視光により照射するメイン光源と赤外光により照射するサブ光源とを有するプレゼンテーション装置において、
外光の明るさレベルの判定を行う明るさ判定部と、
前記外光の明るさレベルに応じて前記メイン光源と前記サブ光源の複数の照射モード切替を行うモード設定部と、
を有することを特徴とするプレゼンテーション装置。
【発明の詳細な説明】
【技術分野】
【０００１】
本発明は、書類や立体物などの資料を撮像し、プレゼンテーション時に資料提示用画像信号として出力するプレゼンテーション装置に関する。
【背景技術】
【０００２】
従来から、会議や学会などで透明のＯＨＰシートにマーカーペンで記述し、拡大照射する投影装置がプレゼンテーション用装置として用いられている。高輝度のランプを用いて直接スクリーンに投影し、明るい投影画像が得られている。
最近になり、ビデオカメラで撮影された画像をスクリーンに投影する投射型テレビが実用化されるようになってきた。ビデオカメラは不透明の資料や立体物を撮影することが出来るため、プレゼンテイション用資料の作成が容易であり、効果的である。しかし、スクリーン輝度はＯＨＰによるほど高くは得られない。プレゼンテーションルームの照度を落とすなどにより、スクリーンに投射される画像を見やすくするなどの工夫が必要とされている。
【０００３】
特許文献１には、書類や立体物をＣＣＤカメラで撮影し、撮影画像を装置外部のスクリーン等に再生する資料提示装置が開示されている。その装置は、操作者に資料を置くべき位置を案内する機能を有する資料台の実現を、ＣＣＤカメラのブランキング区間の間に資料載置台上にガイドパターンとして投射するようにし、ガイドに合わせて資料を載置し、ＣＣＤカメラの撮影視野内の画角と平行にした画像を得ることができる資料提示装置が開示されている。
【特許文献１】特開２００２−９４８３６号公報
【発明の開示】
【発明が解決しようとする課題】
【０００４】
しかしながら、特許文献１に開示されている資料提示装置では、資料の撮影をしている期間中は資料に照明光が当てられている。プレゼンテーションルームの照度が落されている場合では、観客席から資料提示装置の照明光とスクリーンに投影される画像との両者が見えてしまう。特に広い会場で大きなスクリーンを用いたプレゼンテーションを行う場合に、プロジェクターからの投射画像の輝度も低下する。資料提示装置の照明光が目障りになってしまうなど、観客はスクリーン上の画像に集中することが難しい。効果的なプレゼンテーションを行うことが出来ない。資料提示装置を別室に設置する場合では資料提示装置から漏れる照明光を観客から見えなくすることはできるものの、提示画像、画像の切り替えタイミングは説明の流れに合わせ、プレゼンターの意思でなされるのが好ましい。資料提示装置はプレゼンターの近くに設置する。照明光が漏れにくい資料提示装置の実現が望まれている。
【０００５】
そこで、本発明は、上記のような問題点を解消するためになされたもので、プレゼンテーションルームの照度に応じて資料を照らす照明光のレベルを可変して、照明光がスクリーンに投影されるプレゼンテーション画像の妨げになることがないようにしたプレゼンテーション装置を提供することを目的とする。
【課題を解決するための手段】
【０００６】
本願発明は、載置台と、前記載置台の上方に設置された撮像カメラと、前記撮像カメラの下方に併設して設けられた前記載置台を可視光により照射するメイン光源と赤外光により照射するサブ光源とを有するプレゼンテーション装置において、外光の明るさレベルの判定を行う明るさ判定部と、前記外光の明るさレベルに応じて前記メイン光源と前記サブ光源の複数の照射モード切替を行うモード設定部と、を有することを特徴とするプレゼンテーション装置を提供する。
【発明の効果】
【０００７】
本発明によれば、外光の明るさレベルの判定を行う明るさ判定部と、前記外光の明るさレベルに応じてメイン光源とサブ光源の複数の照射モード切替を行うモード設定部とを有しているので、プレゼンテーションルームの照度に応じて資料を照らす照明光のレベルを可変して、照明光がスクリーンに投影されるプレゼンテーション画像の妨げになることがないようにしたプレゼンテーション装置を実現できる。
【発明を実施するための最良の形態】
【０００８】
以下に本発明の実施例に係るプレゼンテーション装置について図１〜図６を用いて説明する。
図１は、本発明の実施に係るプレゼンテーション装置の構成例を示すブロック図である。
図２は、本発明の実施に係るプレゼンテーション装置の外観を示す図である。
図３は、本発明の実施に係るプレゼンテーション装置の要部の構成例を示す図である。
図４は、本発明の実施に係るプレゼンテーション装置の応用構成例を示すブロック図である。
図５は、本発明の実施に係るプレゼンテーション装置の応用構成例の要部を示す図である。
図６は、本発明の実施に係るプレゼンテーション装置の要部の構成例を示すブロック図である。
【０００９】
そのプレゼンテーション装置はプレゼンテーションルームの照度に応じて資料を照らす照明光のレベルを可変して、照明光がスクリーンに投影されるプレゼンテーション画像の妨げになることがないようにしたプレゼンテーション装置を実現するという目的を、外光の明るさレベルの判定を行う明るさ判定部と、前記外光の明るさレベルに応じてメイン光源とサブ光源の複数の照射モード切替を行うモード設定部とを有するようにして実現した。
【００１０】
プレゼンテーション装置の構成について述べる。
図１に示すプレゼンテーション装置１は、ＬＥＤ（Light Emitting Diode）１１ａ及びランプ１１ｂからなる２つの照明部１１と、原稿載置台１３と、カメラ１４ａ、赤外線カットフィルタ１４ｂ、及びフィルタ駆動部１４ｃからなるカメラ部１４と、処理部１５と、外光受光部１７と、制御部１８と、操作部１９とより構成される。
図３に示す照明部１１はＬＥＤ群１１ａとランプ１１ｂより構成される。
図４に示すプレゼンテーション装置１ａは、図１に示したプレゼンテーション装置１に比し、照明部１１の代わりにランプ１２ａ及びランプ１２ｂからなる照明部１２が配されている。
図５に示す照明部１２はランプ１２ａとランプ１２ｂより構成される。
図６に示す制御部１８は明るさ判定器１８１、モード設定器１８２、フレームレート設定器１８３、ランプ電源制御器１８４、フィルタ制御器１８５、及び最大照射光量設定器１８６より構成される。
【００１１】
プレゼンテーション装置の動作について述べる。
まず、明るいプレゼンテーションルームの中で、原稿載置台１３にプレゼンテーションタイトルを記述したカラー原稿を載置し、左右の照明部１１のランプ１１ｂを点灯する。カメラ部１４でカラー原稿を撮影し、得られた画像信号を図示しないプロジェクタに供給し、図示しないスクリーンに投影する。やがて、プレゼンテーションの目的とする画像を観客に提示するに際し、説明者（プレゼンター）は室内の照明を暗くする。室内の明るさは外光受光部１７により検出される。制御部１８は照明部１１のランプ１１ｂの漏れ光が画像提示上の障害とならないようにランプの照度を低下させる。処理部１５は、カメラ部１４のカメラ１４ａが低照度のために劣化しやすい画像を積分し、Ｓ／Ｎを改善した画像を生成してプロジェクターに供給する。処理部１５の図示しないフレームメモリに画像を記憶し、読み出した画像をプロジェクターに供給する。
【００１２】
次に会場のランプをオフとする。外光受光部１７により会場の照明光オフが検出される。制御部１８は、照明部１１のランプ１１ｂをオフとする。客席からはプロジェクターの投射画像のみが見える。制御部１８は、ＬＥＤ群１１ａを点灯する。カメラ部１４のフィルタ駆動部１４ｃを介して赤外線カットフィルタ１４ｂをカメラ１４ａの光軸上から外す。説明者は、室内照明がオフされた会場内で解説画像を提示すべく、白黒原稿を原稿載置台１３に載置する。照明部１１からは赤外光が照射されており、原稿載置台１３上の白黒原稿はカメラで撮影される。撮影画像はプロジェクタに投影される。客席にランプ１１ｂの漏れ光が画像鑑賞上の障害となることなく、プレゼンテーション画像の提示を行える。
なお、会場の照明がオフの状態でカラー画像を提示する必要がある場合に、操作部１９を操作し、カラー画像をフレームメモリに取り込む期間だけ低照度でランプ１１ｂを点灯させる。
【００１３】
図２を参照してプレゼンテーション装置の外観について説明する。
プレゼンテーション用原稿を原稿載置台１３上に載置し、照明部１１から照明光を照射し、カメラ部１４で撮影する。照明部１１の照明光を照射するのと反対の側に外光受光部１７があり、そこで室内の照明光（外光）を検出する。操作部１９の近くに配置される制御部１８により、検出された外光に応じて照明部１１を高照度モード、低照度モード、及び赤外モードにする。高照度モードでは赤外線カットフィルタ１４ｂを光軸上に配置して高品質で撮影し、低照度モードでは処理部１５で画質改善した画像信号を生成し、赤外モードでは赤外線カットフィルタ１４ｂをカメラ１４ａの光軸上から外し、カメラ１４ａの赤外光撮像機能を用いて白黒画像の撮影を行う。なお、高照度モードや低照度モード時にはＬＥＤ群１１ａをオフとする。
【００１４】
ここで、カメラ１４ａは昼夜連続カメラと呼ばれるカメラであり、昼間はカラーカメラとして動作し、夜間は赤外光で照射される被写体を撮影する。カメラ１４ａに用いられるＣＣＤ（Charge Coupled Device）は可視光から赤外光領域までの光電変換特性を有している。可視光によるカラー画像の撮影を行う際には赤外光による輝度レベル（Ｙ信号）の上昇を防ぐため赤外光除去フィルタを光軸上に配置する。赤外光により撮像した信号は、輝度信号のみの信号（Ｙ信号）として出力する。
【００１５】
図３を参照して照明部１１について述べる。
同図において、中央部にはランプ１１ｂが配置されている。ランプの上下には赤外光を発光するＬＥＤ群１１ａが配列されている。なお、高輝度の赤外発光ＬＥＤを用いる場合はＬＥＤの数を少なくできる。
【００１６】
図４を参照してプレゼンテーション装置の応用例について述べる。
プレゼンテーション装置１ａは、図１に示したプレゼンテーション装置１に比し、照明部１１の代わりに照明部１２が配されている点で異なっている。照明部１２は２つのランプ１２ａ及び１２ｂを有している。外光受光部１７で室内照明が明るいとして検出される場合は２つのランプを点灯し、室内照明が暗いとして検出された場合には一方のみを点灯する。照度が不足することによりＳ／Ｎの劣化したカメラ１４ａの画像は処理部１５で平均化処理をし、例えば毎秒２０フレームである低フレームレートの画像信号として出力する。
図５に照明部１２の外観を示す。２つのランプ１２ａ及び１２ｂが格納されている。
【００１７】
図６を参照して制御部について詳述する。
外光受光部１７で検出された室内の照度情報は明るさ判定器１８１に入力される。そこでは、動作モードを高照度モード、低照度モード、又は赤外モードのいずれにするかを予め設定される閾値により判定する。モード設定器１８２は判定されたモードに従った照度でランプ１１ｂを点灯するためのランプ電源制御を行う。フレームレート設定器１８３は低照度モードとされた場合に処理部１５に対し画像信号の積分処理と低フレーム出力信号としての処理命令を出力する。なお、低フレーム出力信号は、例えばＮＴＳＣ方式の画像信号である場合に信号形式は毎秒３０フレームの信号でありながら画像情報は毎秒２０フレーム程度で変化するフレーム毎に加算処理のなされた画像信号とする。
【００１８】
フィルタ制御器１８５は、赤外モード時にはフィルタを抜去し、それ以外のモード時にはカメラ１４ａの光軸中に赤外線カットフィルタ１４ｂを挿入するための制御を行う。最大照射光量設定器１８６は、明るい室内におけるランプ１１ｂの最大照度を設定するための制御を行う。設定された最大照度を基準として低照度モード時の照明部１１の照度が設定される。プレゼンテーションの内容、または会場の雰囲気に応じ、照明部１１の照度を優先するか又は照明部１１からの漏れ光のレベル低下を優先させるか、の兼ね合いに応じた設定を行う。
【００１９】
以上のように、本実施例で示したプレゼンテーション装置によれば、外光の明るさレベルの判定を行う明るさ判定部１８１と、前記外光の明るさレベルに応じてメイン光源とサブ光源の複数の照射モード切替を行うモード設定部１８２とを有しているので、プレゼンテーションルームの照度に応じて資料を照らす照明光のレベルを可変して、照明光がスクリーンに投影されるプレゼンテーション画像の妨げになることがないようにしたプレゼンテーション装置を実現できる。
【産業上の利用可能性】
【００２０】
書類や立体物などの資料を撮像し、プレゼンテーション時に資料提示用画像信号として出力するプレゼンテーション装置に適用できる。
【図面の簡単な説明】
【００２１】
【図１】本発明の実施に係るプレゼンテーション装置の構成例を示すブロック図である。
【図２】本発明の実施に係るプレゼンテーション装置の外観を示す図である。
【図３】本発明の実施に係るプレゼンテーション装置の要部の構成例を示す図である。
【図４】本発明の実施に係るプレゼンテーション装置の応用構成例を示すブロック図である。
【図５】本発明の実施に係るプレゼンテーション装置の応用構成例の要部を示す図である。
【図６】本発明の実施に係るプレゼンテーション装置の要部の構成例を示すブロック図である。
【符号の説明】
【００２２】
１、１ａ    プレゼンテーション装置
１１、１２    照明部
１１ａ    ＬＥＤ群
１１ｂ、１２ａ、１２ｂ    ランプ
１３    原稿載置台
１４    カメラ部
１４ａ    カメラ
１４ｂ    赤外線カットフィルタ
１４ｃ    フィルタ駆動部
１５    処理部
１７    外光受光部
１８    制御部
１９    操作部
１８１    明るさ判定器
１８２    モード設定器
１８３    フレームレート設定器
１８４    ランプ電源制御器
１８５    フィルタ制御器
１８６    最大照射光量設定器
【図１】
2007005866.tif 000003
【図２】
2007005866.tif 000004
【図３】
2007005866.tif 000005
【図４】
2007005866.tif 000006
【図５】
2007005866.tif 000007
【図６】
2007005866.tif 000008